(57)【特許請求の範囲】
【請求項１】
車体上のキャビン内に、該キャビンの内幅よりも若干小さい横幅のバッテリーケースが配置され、該バッテリーケース上にカバーが取り外し可能に載置されたキャビン付きフォークリフトのバッテリー収納装置において、前記カバーの横幅が前記バッテリーケースの横幅よりも小さく設定され、そのカバーの両側縁部を支持するための一対の受枠が前記バッテリーケースの両側板部の内面上端に着脱可能に取り付けられていることを特徴とするキャビン付きフォークリフトのバッテリー収納装置。
【請求項２】
前記一対の受枠が、前記バッテリーケースの両側板部に貫設したバッテリーケース吊上用貫通孔に係合する係合具により係止されていることを特徴とする請求項１記載のキャビン付きフォークリフトのバッテリー収納装置。
【請求項３】
前記カバーの基端部が枢着軸を介して車体またはキャビンの後部に回動可能に枢着され、そのカバーの回動半径が枢着軸からバッテリーケースの前板部までの間隔よりも小さく設定され、そのカバーの前縁部を支持するための受枠が前記バッテリーケースの前板部の内面上端に着脱可能に取り付けられていることを特徴とする請求項１記載のキャビン付きフォークリフトのバッテリー収納装置。
【請求項４】
前記受枠が、前記バッテリーケースの前板部に貫設した貫通孔に係合する係合具により係止されていることを特徴とする請求項３記載のキャビン付きフォークリフトのバッテリー収納装置。
【請求項５】
前記係合具が、後端部外周面に鍔部を形成した係合具本体と、該係合具本体の先端面に突設したねじ軸と、該ねじ軸に螺合するナットとを有しており、前記係合具本体を前記貫通孔に挿入して前記鍔部を前記バッテリーケースの外周面に当接させ、前記受枠に貫設した係合孔を前記ねじ軸に嵌合させると共に、該ねじ軸に前記ナットを螺合させるようにしたことを特徴とする請求項２または４記載のキャビン付きフォークリフトのバッテリー収納装置。
【発明の詳細な説明】
【０００１】
【発明の属する技術分野】
本発明は、バッテリーのメンテナンスを容易に行うことができるキャビン付きフォークリフトのバッテリー収納装置に関する。
【０００２】
【従来の技術】
従来、この種のキャビン付きフォークリフトの一例として図７〜図９に示すものがある。これは、車体１の前部にマスト２が立設され、該マスト２に昇降可能に配置した昇降体３にフォーク４が取り付けられており、荷役作業を行う場合には、フォーク４によりパレットＰを介してワークＷを持ち上げ、車体１を走行させることにより、ワークＷを所定位置まで搬送する。
【０００３】
前記車体１上のキャビン５内に、該キャビン５の内幅Ｄ１よりも若干小さい横幅Ｄ２のバッテリーケース６が配置され、基端部が前記車体１またはキャビン５の後部に枢着軸７を介して回動可能に枢着されたカバー８がバッテリーケース６上に載置され、カバー８上に座席９が設けられている。
【０００４】
前記カバー８は、天板部８ａと、該天板部８ａの周縁に垂設した前縁部８ｂ及び両側縁部８ｃとを有し、その横幅Ｄ３がバッテリーケース６の横幅Ｄ２より大きく設定されると共に、その回動半径Ｒが枢着軸７からバッテリーケース６の前板部６ａまでの間隔Ｌよりも大きく設定されており、これによって、カバー８がバッテリーケース６の前後板部６ａ，６ｂ及び両側板部６ｃ，６ｄにより支持されている。なお、図９中、１０は両側板部６ｃ，６ｄの上部に貫設したバッテリーケース吊上用貫通孔、６Ａはバッテリーケース６内に配置したバッテリーセルである。
【０００５】
【発明が解決しようとする課題】
上記従来の構成では、バッテリーケース６がキャビン５の内面に近接した状態で配置されると共に、該バッテリーケース６よりもカバー８が幅広に設定されており、そのカバー８とキャビン５との間にわずかの隙間しかないため、バッテリーケース６のメンテナンス時に、カバー８を引き上げようとしても、キャビン５内に突出するドア５ａの把手などの突出物１１が障害となる。この場合には、ドア５ａを開放して、把手などの突出物１１をカバー８から離したり、カバー８の引き上げ角度を小さくしているが、これでは、カバー８の引き上げに手間がかかって面倒であったり、バッテリーケース６のメンテナンス作業を能率良く行うことが困難になる。
【０００６】
本発明は、上記従来の欠点に鑑み、カバーを容易に大きく引き上げてメンテナンス作業を能率良く行うことができるキャビン付きフォークリフトのバッテリー収納装置を提供することを目的としている。
【０００７】
【課題を解決するための手段】
上記目的を達成するため、請求項１記載の発明は、車体上のキャビン内に、該キャビンの内幅よりも若干小さい横幅のバッテリーケースが配置され、該バッテリーケース上にカバーが取り外し可能に載置されたキャビン付きフォークリフトのバッテリー収納装置において、前記カバーの横幅が前記バッテリーケースの横幅よりも小さく設定され、そのカバーの両側縁部を支持するための一対の受枠が前記バッテリーケースの両側板部の内面上端に着脱可能に取り付けられていることを特徴としている。
【０００８】
上記構成によれば、カバーの横幅が前記バッテリーケースの横幅よりも小さく設定されており、カバーとキャビンの内面との間に比較的大きな隙間があるので、カバーを引き上げてバッテリーのメンテナンスを行うときに、該カバーに従来のようにキャビンのドアの把手などの突出物が当たる虞れがなく、そのカバーを容易に大きく引き上げてメンテナンス作業を能率良く行うことができる。
【０００９】
また、カバーの両側縁部を支持するための一対の受枠が前記バッテリーケースの両側板部の内面上端に取り付けられているので、カバーをバッテリーケース内に落ち込まないように確実に支持することができる。
【００１０】
更に、前記一対の受枠がバッテリーケースに着脱可能に取り付けられているので、バッテリーケースのバッテリーセルを交換するときには、その一対の受枠を取り外すことにより、バッテリーセルの交換作業を円滑に行うことができる。
【００１１】
請求項２記載の発明は、請求項１記載の発明において、前記一対の受枠が、前記バッテリーケースの両側板部に貫設したバッテリーケース吊上用貫通孔に係合する係合具により係止されていることを特徴としている。
【００１２】
上記構成によれば、一対の受枠を係止具を介してバッテリーケースの両側板部に係止する際に、その両側板部に貫設した既存のバッテリーケース吊上用貫通孔を利用するようになっているから、孔加工が不要であり、その不要となった分だけ製作費を安くすることができる。
【００１３】
請求項３記載の発明は、請求項１記載の発明において、前記カバーの基端部が枢着軸を介して車体またはキャビンの後部に回動可能に枢着され、そのカバーの回動半径が枢着軸からバッテリーケースの前板部までの間隔よりも小さく設定され、そのカバーの前縁部を支持するための受枠が前記バッテリーケースの前板部の内面上端に着脱可能に取り付けられていることを特徴としている。
【００１４】
上記構成によれば、カバーの回動半径が枢着軸からバッテリーケースの前板部までの間隔よりも小さく設定されているから、その小さくした分だけキャビンの高さを低くして製作費を安くすることができ、また、カバーの前縁部を支持するための受枠が前記バッテリーケースの前板部の内面上端に取り付けられているから、カバーの前縁部をバッテリーケース内に落ち込まないように確実に支持することができ、更に、受枠がバッテリーケースに着脱可能に取り付けられているので、バッテリーケースのバッテリーセルを交換するときには、その受枠を取り外すことにより、バッテリーセルの交換作業を円滑に行うことができる。
【００１５】
請求項４記載の発明は、請求項３記載の発明において、前記受枠が、前記バッテリーケースの前板部に貫設した貫通孔に係合する係合具により係止されていることを特徴としている。
【００１６】
上記構成によれば、バッテリーケースの前板部に貫設した貫通孔に係合する係合具により受枠をバッテリーケースに簡単確実に係止することができる。
【００１７】
請求項５記載の発明は、請求項２または４記載の発明において、前記係合具が、後端部外周面に鍔部を形成した係合具本体と、該係合具本体の先端面に突設したねじ軸と、該ねじ軸に螺合するナットとを有しており、前記係合具本体を前記貫通孔に挿入して前記鍔部を前記バッテリーケースの外周面に当接させ、前記受枠に貫設した係合孔を前記ねじ軸に嵌合させると共に、該ねじ軸に前記ナットを螺合させるようにしたことを特徴としている。
【００１８】
上記構成によれば、係合具本体、ねじ軸及びナットを有する係合具により受枠をバッテリーケースに係止した状態では、係合具本体の鍔部がバッテリーケースの外側に少しの幅だけしか出ていないので、バッテリーケースをキャビンの内面に極めて接近させて、そのキャビンの内部空間を有効に利用することができる。
【００１９】
【発明の実施の形態】
図１〜図５は本発明の実施の一形態であるバッテリー収納装置を備えたキャビン付きフォークリフトを示すものであって、カバー８の横幅Ｄ３がバッテリーケース６の横幅Ｄ２よりも小さく設定され、そのカバー８両側縁部８ｃを支持するための一対の略Ｌ字状受枠１３がバッテリーケース６の状側板部６ｃ，６ｄに貫設したバッテリーケース吊上用貫通孔１０に係合する係合具１４により係止されている。図３中、１５はバッテリーケース６の前板部６ａと両側板部６ｃ，６ｄとの間の角部に架設された補強桁である。上記以外の構成は図７〜図９に示す従来例とほぼ同一であるから、同一部分に同一符号を付してその説明を省略する。
【００２０】
上記構成によれば、カバー８の横幅Ｄ３がバッテリーケース６の横幅Ｄ２よりも小さく設定されており、カバー８とキャビン５の内面との間に比較的大きな隙間があるので、カバー８を引き上げてバッテリーケース６のメンテナンスを行うときに、該カバー８に従来のようにキャビン５のドアの把手などの突出物１１が当たる虞れがなく、そのカバー８を容易に大きく引き上げてメンテナンス作業を能率良く行うことができる（図１仮想線参照）。
【００２１】
また、カバー８の両側縁部８ｃを支持するための一対の受枠１３がバッテリーケース６の両側板部６ｃ，６ｄの内面上端に取り付けられているので、カバー８をバッテリーケース６内に落ち込まないように確実に支持することができる。
【００２２】
更に、前記一対の受枠１３がバッテリーケース６に着脱可能に取り付けられているので、バッテリーケース６のバッテリーセル６Ａを交換するときには、その一対の受枠１３を取り外すことにより、バッテリーセル６Ａの交換作業を円滑に行うことができる。
【００２３】
しかも、一対の受枠１３を係合具１４を介してバッテリーケース６の両側板部６ｃ，６ｄに係止する際に、その両側板部６ｃ，６ｄに貫設した既存のバッテリーケース吊上用貫通孔１０を利用するようにしているから、孔加工が不要であり、その不要となった分だけ製作費を安くすることができる。
【００２４】
前記係合具１４は、図４及び図５に示すように、後端部外周面に鍔部１７ａを形成した円柱状係合具本体１７と、該係合具本体１７の中心部に貫設した孔１７ｂに挿通されることにより平皿状頭部１８ａが孔１７ｂ内に没入されてねじ軸１８ｂが係合具本体１７の先端面から前方に突出されたビス１８と、ねじ軸１８ｂにワッシャー１９を介して螺合するナット２０とを有している。なお、２１は両側板部６ｃ，６ｄの内面にバッテリーケース吊上用貫通孔１０と同心状に固着した補強リング、２２は受枠１３の垂直部１３ａに補強リング２１に対向して形成した切欠部、２３は該切欠部２２に渡し架けられて両端が垂直部１３ａの内面に固着された受板であって、中央部にバッテリーケース吊上用貫通孔１０と同心状の係合孔２４が貫設されている。
【００２５】
上記構成において、係合具本体１７をバッテリーケース吊上用貫通孔１０に挿入して鍔部１７ａを両側板部６ｃ，６ｄの外周面に当接させ、係合具本体１７の孔１７ｂに挿通したビス１８のねじ軸１８ｂに受枠１３の係合孔２４を嵌合させると共に、該ねじ軸１８ｂにワッシャー１９を介してナット２０を螺合させることにより、図４に示すように、受枠１３の水平部１３ｂの上面を両側板部６ｃ，６ｄの上縁と面一状にした状態で該受枠１３を両側板部６ｃ，６ｄに固定することができる。
【００２６】
この場合、係合具１４により受枠１３をバッテリーケース６に係止した状態では、係合具本体１７の鍔部１７ａが両側板部６ｃ，６ｄの外側に少しの幅αだけしか出ていないので、バッテリーケース６をキャビン５の内面に極めて接近させて、そのキャビン５の内部空間を有効に利用することができる。
【００２７】
上記の実施の形態では、係合具本体１７とビス１８のねじ軸１８ｂとを別体に形成したが、その係合具本体１７とねじ軸１８ｂとを一体に形成するようにしてもよい。
【００２８】
図６は本発明の実施の他の形態であるバッテリー収納装置を備えたキャビン付きフォークリフトを示すものであって、カバー８の回動半径Ｒが枢着軸７からバッテリーケース６の前板部６ａまでの間隔Ｌよりも小さく設定され、バッテリーケース６の前板部６ａの上部に貫通孔２５が貫設され、該貫通孔２５に係合する係合具１４によりカバー８の前縁部８ｂを支持するための受枠１３がバッテリーケース６の前板部６ａの内面上端に着脱可能に取り付けられている。上記以外の構成は図１〜図５に示す実施の一形態とほぼ同一であるから、同一部分に同一符号を付してその説明を省略する。
【００２９】
上記構成によれば、カバー８の回動半径Ｒが枢着軸７からバッテリーケース６の前板部６ａまでの間隔Ｌよりも小さく設定されているから、その小さくした分だけキャビン５の高さＨを低くして製作費を安くすることができ、また、カバー８の前縁部８ｂを支持するための受枠１３がバッテリーケース６の前板部６ａの内面上端に取り付けられているから、カバー８の前縁部８ｂをバッテリーケース６内に落ち込まないように確実に支持することができ、更に、受枠１３がバッテリーケース６に着脱可能に取り付けられているので、バッテリーケース６のバッテリーセル６Ａを交換するときには、その受枠１３を取り外すことにより、バッテリーセル６Ａの交換作業を円滑に行うことができる。
【００３０】
【発明の効果】
請求項１記載の発明によれば、カバーの横幅が前記バッテリーケースの横幅よりも小さく設定されており、カバーとキャビンの内面との間に比較的大きな隙間があるので、カバーを引き上げてバッテリーのメンテナンスを行うときに、該カバーに従来のようにキャビンのドアの把手などの突出物が当たる虞れがなく、そのカバーを容易に大きく引き上げてメンテナンス作業を能率良く行うことができる。
【００３１】
また、カバーの両側縁部を支持するための一対の受枠が前記バッテリーケースの両側板部の内面上端に取り付けられているので、カバーをバッテリーケース内に落ち込まないように確実に支持することができる。
【００３２】
更に、前記一対の受枠がバッテリーケースに着脱可能に取り付けられているので、バッテリーケースのバッテリーセルを交換するときには、その一対の受枠を取り外すことにより、バッテリーセルの交換作業を円滑に行うことができる。
【００３３】
請求項２記載の発明によれば、一対の受枠を係止具を介してバッテリーケースの両側板部に係止する際に、その両側板部に貫設した既存のバッテリーケース吊上用貫通孔を利用するようになっているから、孔加工が不要であり、その不要となった分だけ製作費を安くすることができる。
【００３４】
請求項３記載の発明によれば、カバーの回動半径が枢着軸からバッテリーケースの前板部までの間隔よりも小さく設定されているから、その小さくした分だけキャビンの高さを低くして製作費を安くすることができ、また、カバーの前縁部を支持するための受枠が前記バッテリーケースの前板部の内面上端に取り付けられているから、カバーの前縁部をバッテリーケース内に落ち込まないように確実に支持することができ、更に、受枠がバッテリーケースに着脱可能に取り付けられているので、バッテリーケースのバッテリーセルを交換するときには、その受枠を取り外すことにより、バッテリーセルの交換作業を円滑に行うことができる。
【００３５】
請求項４記載の発明によれば、バッテリーケースの前板部に貫設した貫通孔に係合する係合具により受枠をバッテリーケースに簡単確実に係止することができる。
【００３６】
請求項５記載の発明によれば、係合具本体、ねじ軸及びナットを有する係合具により受枠をバッテリーケースに係止した状態では、係合具本体の鍔部がバッテリーケースの外側に少しの幅だけしか出ていないので、バッテリーケースをキャビンの内面に極めて接近させて、そのキャビンの内部空間を有効に利用することができる。
【図面の簡単な説明】
【図１】  本発明の実施の一形態であるバッテリーカバー装置を備えたキャビン付きフォークリフトの側面図である。
【図２】  同横断面図である。
【図３】  同バッテリーカバー装置の分解斜視図である。
【図４】  同要部の拡大横断面図である。
【図５】  同要部の分解斜視図である。
【図６】  本発明の実施の他の形態であるバッテリーカバー装置を備えたキャビン付きフォークリフトの一部切欠き側面図である。
【図７】  従来例を示す側面図である。
【図８】  同横断面図である。
【図９】  同バッテリーカバー装置の分解斜視図である。
【符号の説明】
１      車体
５      キャビン
６      バッテリー
６ａ    バッテリーの前板部
６ｃ    バッテリーの側板部
６ｄ    バッテリーの側板部
７      枢着軸
８      カバー
８ｂ    カバーの前縁部
８ｃ    カバーの側縁部
１０    バッテリー吊上用貫通孔
１３    受枠
１４    係合具
１７    係合具本体
１７ａ  鍔部
１８ｂ  ねじ軸
２０    ナット
２４    係合孔
２５    貫通孔
Ｄ１    キャビンの内幅
Ｄ２    バッテリーの横幅
Ｄ３    カバーの横幅
Ｒ      カバーの回動半径
Ｌ      枢着軸からバッテリーの前板部までの間隔
【図１】
0003877114.tif 000002
【図２】
0003877114.tif 000003
【図３】
0003877114.tif 000004
【図４】
0003877114.tif 000005
【図５】
0003877114.tif 000006
【図６】
0003877114.tif 000007
【図７】
0003877114.tif 000008
【図８】
0003877114.tif 000009
【図９】
0003877114.tif 000010